(57)【特許請求の範囲】
【請求項１】
外周面にねじ溝を設けた略円柱体に、一端側より糸挿入孔と該糸挿入口と連通する糸折り返し孔を形成すると共に、前記略円柱体の他端側にはネックレス止め金具と着脱可能に連結する接続部が連設した止め金具本体と、前記ねじ溝と螺合するねじ部が設けた止め金具キャップとから構成され、前記止め金具本体を前記止め金具キャップにねじ止めすることで、前記止め金具本体に挿通されたネックレス糸を押圧、固定することを特徴とするネックレス糸止め金具。
【請求項２】
外周面にねじ溝と鍔部を設けた略円柱体の一端側より軸芯方向に開口される糸挿入孔と、前記鍔部付近で径方向に開口される少なくとも一つ以上の糸折り返し孔を該糸挿入口と連通し、前記略円柱体の他端側にはネックレス止め金具と着脱可能に連結する接続部を連設した止め金具本体と、両端が開口された略筒状体の内周面に前記ねじ溝と螺合するねじ部を設けた止め金具キャップとから構成され、前記止め金具本体を前記止め金具キャップにねじ止めすることで、前記止め金具本体に挿通されたネックレス糸を押圧、固定することを特徴とするネックレス糸止め金具。
【請求項３】
外周面にねじ溝を設けた略円柱体の一端側より軸芯方向に軸芯部を残して相対向する少なくとも二つ以上の糸挿入溝を形成し、該糸挿入溝の各先端は連通して略Ｕ字状の糸折り返し部を形成し、前記略円柱体の他端側にはネックレス止め金具と着脱可能に連結する接続部を連設した止め金具本体と、両端が開口された略筒状体の内周面に前記ねじ溝と螺合するねじ部を設け、前記開口一端側には小径の糸通し孔を形成すると共に、該糸通し孔周縁には糸係止部を形成した止め金具キャップとから構成され、前記止め金具本体を前記止め金具キャップにねじ止めすることで、前記止め金具本体に挿通されたネックレス糸を押圧、固定することを特徴とするネックレス糸止め金具。
【請求項４】
前記接続部は、先端ではフック状の鈎部をなし、該鈎部の一側には開口部が形成され、内蔵されたばね体の付勢力により、フック基部に軸支された開閉レバーを枢動可能に取り付けた着脱フックからなるものであることを特徴とする請求項１乃至３に記載されたネックレス糸止め金具。
【請求項５】
前記接続部は、先端ではフック状の鈎部をなし、該鈎部の一側には開口部が形成され、内蔵されたばね体の付勢力により、フック筒状基部に遊嵌された開閉ピンを摺動可能に取り付けた着脱フックからなるものであることを特徴とする請求項１乃至３に記載されたネックレス糸止め金具。
【請求項６】
中心に糸穴を形成した弾性素材からなるリング体を連珠ネックレス、連珠ブレスレット、連珠ペンダントなどの各珠の間に介在させると共に、前記各珠に挿通されネックレス糸が、請求項１乃至５に記載されたネックレス糸止め金具により糸止めされていることを特徴とする連珠ネックレス、連珠ブレスレット、連珠ペンダントなどの連珠装身具。
【発明の詳細な説明】
【０００１】
【産業上の利用分野】
本発明は、連珠ネックレス、連珠ブレスレット、連珠ペンダントなどの連珠装身具において、ステンレス等の金属線を素材とするネックレス糸により、複数の珠玉を連ねて完成する場合のネックレス糸の止め金具に関する。
【０００２】
【従来の技術】
従来、複数の珠玉を連ねて完成される連珠装身具のネックレス糸としては、伸縮性がある絹、化学繊維等の材質からなる糸が使用されていたが、使用している間に珠玉の間に隙間が生じたり、糸自体が伸びて切れることもあり、最近では、ステンレス鋼等の金属を使用し、さらに美観上の理由により表面を被覆したワイヤからなる強靱な糸も開発されている。
【０００３】
そして、ワイヤからなる糸により連珠装身具を繋ぐ場合には、ネックレス止め金具であるネックレスクラスプ（以下「クラスプ」という）に直接締結することができないので、種々のネックレス糸止め金具が開発されている。
例えば、図１に示されるように、止め軸５に軸線方向の糸通し孔６と、これと連通する半径方向のねじ孔７を形成し、糸通し孔６に糸２の一端部を一回通してクラスプ１側に設けられている糸掛け用リング３に挿通折り返し、この折り返し部を前記糸通し孔にさらにもう一回通し、前記ねじ孔７にビス８を螺合してその先端面で糸通し孔６内の糸２を孔壁面に押圧固定するようにしたものがある（実公平３−３９０４７号公報）。
【０００４】
また、図２に示されるように、少なくとも１本の糸２が挿通される止め金具１１と、この止め金具１１に糸２を押圧固定する固定手段とを備え、前記止め金具１１は、一端側に形成され前記糸が挿通される軸方向の糸通し孔１２と、径方向に貫通形成された糸折り返し孔１３と、他端側に形成され少なくとも前記糸折り返し孔１３と連通し前記固定手段が螺合されるねじ孔１４とを備えたものがある（特開平６−２３７８０９号公報）。
【０００５】
しかしながら、前者の考案においては、ビス８により糸２をその軸線方向と直交する方向から押圧固定しているので、糸２に軸線方向の外力が作用すると、糸２が緩みやすく、珠玉間に緩みを生じるという問題点があった。
又、止め金具５の外周にビス８を螺合しているので、ビス８が目立ち易く、装身具というファッシヨン商品としては外観の美しさが損なわれるという問題点もあった。
【０００６】
又、後者の考案においては、糸２を押圧、固定した一対の止め金具１１は、先端部外周に形成された雄ねじ部１１ａを、それぞれクラスプ１６のオス型部材１７、メス型部材１８の筒状に形成された接続部内周に設けた雌ねじ部１７ａにねじ込むことにより接続されるが、長期の使用によっては、クラスプ１６は回転して、止め金具１１とクラスプ１６との間に緩みが生じ、極端な場合には双方が外れてしまうといったような事故が生じ、高価な装身具を紛失する可能性があった。
さらに、糸２を止め金具１１に押圧、固定するためには、微細なビス１４ａを先端部内周に形成されたねじ孔１４にねじ込まなければならず、ドライバー等の工具が別途必要とされるため、販売店店頭などで実際には使用ができないという利用上の問題点が生じていた。
【０００７】
本発明は、糸の固定が容易かつ確実にできて糸の緩みも少なく、また外観美の良好なネックレス糸止め金具を提供することを目的とする。
又、本発明は、長期間の使用によっても止め金具とクラスプとの間に緩みが生ぜず、クラスプとの接続を簡単に行なうことができ、ネックレス糸の張り具合の調整も可能であるネックレス糸止め金具を提供することを目的とする。
【０００８】
上記目的を達成するため、請求項１に記載された本発明に係るネックレス糸止め金具は、外周面にねじ溝を設けた略円柱体に、一端側より糸挿入孔と該糸挿入口と連通する糸折り返し孔を形成すると共に、前記略円柱体の他端側にはネックレス止め金具と着脱可能に連結する接続部が連設した止め金具本体と、前記ねじ溝と螺合するねじ部を設けた止め金具キャップとから構成され、前記止め金具本体を前記止め金具キャップにねじ止めすることで、前記止め金具本体に挿通されたネックレス糸を押圧、固定することを特徴とする。
かかる発明によれば、止め金具本体を止め金具キャップにねじ止めすることで、止め金具本体に挿入、折り返されたネックレス糸が押圧、固定される。
【０００９】
請求項２に記載された本発明に係るネックレス糸止め金具は、外周面にねじ溝と鍔部を設けた略円柱体の一端側より軸芯方向に開口される糸挿入孔と、前記鍔部付近で径方向に開口される少なくとも一つ以上の糸折り返し孔を該糸挿入口と連通し、前記略円柱体の他端側にはネックレス止め金具と着脱可能に連結する接続部を連設した止め金具本体と、両端が開口された略筒状体の内周面に前記ねじ溝と螺合するねじ部を設けた止め金具キャップとから構成され、前記止め金具本体を前記止め金具キャップにねじ止めすることで、前記止め金具本体に挿通されたネックレス糸を押圧、固定することを特徴とする。
かかる発明によれば、止め金具本体を止め金具キャップにねじ止めすることにより、止め金具本体に巻き付けられた糸が、止め金具本体の鍔部と止め金具キャップの開口部周縁で把持され、押圧、固定される。
【００１０】
請求項３に記載された本発明に係るネックレス糸止め金具は、外周面にねじ溝を設けた略円柱体の一端側より軸芯方向に軸芯部を残して相対向する少なくとも二つ以上の糸挿入溝を形成し、該糸挿入溝の各先端は連通して略Ｕ字状の糸折り返し部を形成し、前記略円柱体の他端側にはネックレス止め金具と着脱可能に連結する接続部を連設した止め金具本体と、両端が開口された略筒状体の内周面に前記ねじ溝と螺合するねじ部を設け、前記開口の一端側には小径の糸通し孔を形成すると共に、該糸通し孔周縁に糸係止部を形成した止め金具キャップとから構成され、前記止め金具本体を前記止め金具キャップにねじ止めすることで、前記止め金具本体に挿通されたネックレス糸を押圧、固定することを特徴とする。
かかる発明によれば、止め金具本体を止め金具キャップにねじ止めすることにより、止め金具本体に挿入、折り返された糸が、止め金具本体の一端側先端面と止め金具キャップの糸係止部で把持され、押圧、固定される。
【００１１】
請求項４に記載された発明は、請求項１乃至３に記載されたネックレス糸止め金具において、前記接続部は、先端ではフック状の鈎部をなし、該鈎部の一側には開放部が形成され、内蔵されたばね体の付勢力により、基部に軸支された開閉レバーを枢動可能に取り付けた着脱フックであることを特徴とする。
かかる発明によれば、ネックレス糸に固定されている止め金具が回転することがなく、よって止め金具と着脱フックを介して接続されるクラスプも回転しないから、長期の使用によっても止め金具とクラスプとの間に緩みが生じない。
【００１２】
請求項５に記載された発明は、請求項１乃至３に記載されたネックレス糸止め金具において、前記接続部は、先端ではフック状の鈎部をなし、該鈎部の一側には開放部が形成され、内蔵されたばね体の付勢力により、フック筒状基部に遊嵌された開閉ピンを摺動可能に取り付けた着脱フックからなるものであることを特徴とする。
かかる発明によれば、着脱フックを各部材に分割して組み立てることが可能となり、その製作が容易となる。
【００１３】
請求項６に記載された発明は、中心に糸穴を形成した弾性素材からなるリング体を連珠ネックレス、連珠ブレスレット、連珠ペンダントなどの各珠の間に介在させると共に、前記各珠に挿通されネックレス糸が、請求項１乃至５に記載されたネックレス糸止め金具により糸止めされている連珠装身具であることを特徴とする。
かかる発明によれば、弾性素材からなるリング体がクッションの役割を果たすので、本発明にかかるネックレス糸止め金具により固定された連珠装身具に柔らかさを加えることができる。
【００１４】
以下、本発明を図面に基づき詳細に説明する。
図４は、本発明に係るネックレス糸止め金具の第一実施例を示す分解斜視図、図５は、その断面図、図６は、本発明に係るネックレス糸の通し方を示す断面図であり、図９は、その使用状態を示す斜視図である。
ネックレス糸止め金具２０は、止め金具本体２１と止め金具キャップ３５とから構成され、珠玉をネックレス糸２により繋いで形成される連珠装身具、例えば真珠ネックレスなどの両端にそれぞれ固定されるものである。
又、ネックレス糸止め金具２０を使用して、糸止めされる真珠ネックレスには、中心に糸穴３８ａを形成したリング体３８が各真珠４の間に内装される。
ここで、ネックレス糸２は、例えば、複数の細いステンレスワイヤを撚線とし、フッソ樹脂などをコーテイングしたものであり、リング体３８は、例えば、円板状のシリコンゴムなどの弾性素材の中心に糸穴を形成したものである。
なお、真珠ネックレス両端に固定された一対の糸止め金具は、更に、接続部２７に形成される着脱フックを介してクラスプ３７の各部材における糸掛け用リング３９にそれぞれ連結される。
ここでクラスプ３７は、例えば、差し込み穴部を形成した中空箱型のメス型部材３７ａに、金属板を折り返して板ばねを形成したオス型部材３７ｂを手指などで折り曲げて、差し込み、装着し、又、同様にオス型部材３７ｂを折り曲げて、離脱するものであり、真珠ネックレスの両端を連結する止め金具である。
【００１５】
止め金具本体２１は、金属製の略円柱体の一側の外周面には雄ねじが形成された雄ねじ部２３と、雄ねじ部２３の根元側外周一体に鍔部２６が設けられ、雄ねじ部の先端側略中心から軸方向に糸挿入孔２４が開口されると共に、鍔部２６付近では径方向に糸挿入口２４と略Ｔ字状に連通する糸折り返し孔２５が中心部まで開口されている。
なお、糸挿入口２４の開口端は、テーパー面２２を形成しているので、糸２が容易に挿入できる。
【００１６】
止め金具キャップ３５は、金属製の略筒状体で、止め金具本体２１の雄ねじ部２３全体をカバーする全長で、両端が開口されると共に、内周面には雄ねじ部２３と螺合する雌ねじが形成された雌ねじ部３６を設けている。
【００１７】
止め金具本体２１の雄ねじ部２３逆側には、着脱フックからなる接続部２７が連設されており、先端ではフック状の鈎部２７ａをなし、該鈎部の一側には開放部２８が形成され、略コの字状の断面で形成されるフック基部２９の間には、略三角形板状の開閉レバー３１が支軸３０により取り付けられると共に、閉方向に付勢する板ばね３０ａが内蔵されて、開閉レバー３１が枢動することで、開放部２８が開閉自在となる。
又、開閉レバー３１には、外側部において手指を掛けるための操作部３１ａが突設されている。
【００１８】
このような構成からなるネックレス糸止め金具２０において、糸２を接続するには、糸２の一端を止め金具キャップ３５の一端側開口部より挿通し、さらに止め金具本体２１の糸挿入孔２４にテーパー面２２に沿って挿入する。
そのまま糸２を送り込み、糸挿入口２４と連通された糸折り返し孔２５内へと導入し、糸折り返し孔２５から止め金具本体２１の外部に導出する。
ここで、導出された糸２を鍔部２６付近で雄ねじ部２３の外周面に一周巻き付けて、再び糸折り返し孔２５に戻して、糸挿入孔２５より導出して、止め金具キャップ２４の開口部を再度挿通して、止め金具キャップ３５から導出する。
かかる状態で、糸２の先端に張力を与えつつ、止め金具キャップ３５を止め金具本体２１にねじ込んで行くと、鍔部２６と止め金具キャップ３５の雄ねじ挿入側開口部周縁３５ａで糸２は把持され、押圧、固定される。
上記の如く真珠ネックレスなどの両端にそれぞれ固定されたネックレス糸止め金具２０は、着脱フックの操作部３１ａを手指により押し上げて開口放２８を開くことで、クラスプ３７と接続できる。
【００１９】
かかる構造においては、ネックレス糸は糸折り返し孔により長手方向と直交する方向に折り曲げられ、かつ雄ねじ部の外周部に巻き付けられているので、ネックレス糸止め金具との間に大きな摩擦力が発生し、軸線方向の外力を受けても緩む恐れはなく、真珠間に緩みが生じることを防止することができる。
止め金具本体と止め金具キャップの間に把持されたネックレス糸には弾力性があり、いわゆるワッシャーの役目を果たすから、止め金具本体と止め金具キャップの螺合にも緩みが生じない。
【００２０】
又、かかる構造においては、真珠ネックレスの両端でネックレス糸と接続、固定された止め金具本体が回転することはなく、したがって、着脱フックにより止め金具本体に連結されるクラスプの各部材が回転することもない。
更に、前述のように止め金具本体と止め金具キャップの螺合が緩むことはないから、長期の使用によってもネックレス糸止め金具とクラスプが外れてしまうという事故が生じる可能性を防止することができる。
【００２１】
一方、着脱フックによる接続部は簡単に開閉できるので、同一のネックレスに対するクラスプを用途や使用者の気分に応じて別のクラスプと自由に交換して使用することができる。
よって、数種類のクラスプを用意しておくことにより、真珠ネックレスなどの使用上のバリエーションを豊富にすることもできる。
あるいはクラスプを全く使用せずに、着脱フックを互いに接続し、連珠装身具として使用することもできる。
【００２２】
なお、かかる構造のネックレス糸止め金具にあっては、ネックレス糸の張り具合を調節できるため、糸固定時に強力に引っ張られる可能性があり、又、強靱かつ弾力性にやや欠けるステンレス糸により真珠ネックレスが繋がれると、装身具としてのしなやかさが失われる可能性がある。
かかる場合に、各珠の間に、弾性素材からなるリング体を内装することにより、真珠ネックレスに柔軟性を保つこともできる。
【００２３】
図７及び図８は、ネックレス糸の通し方の他の実施例を示している。
図７は、糸２の一端を糸挿入孔２４に挿入して、一カ所の糸折り返し孔２５から止め金具本体２１の外部に一旦導出し、雄ねじ部２３の外周に半周巻き付けて、他方の糸折り返し孔２５に戻して、糸挿入孔２４から再度導出した例、図８は、実線と破線で示す２本の糸２を糸挿入孔２４より挿入し、糸折り返し孔２５から止め金具本体２１の外部に一旦導出し、互いに重ならないようそれぞれ反対方向で半周巻き付けて、引き出し方向が反対になるよう糸折り返し孔２５に戻して、糸挿入孔２４から再度導出した例である。
なお、図８において、２本以上の糸２を挿入することも可能で、かかる場合には２連以上の連珠装身具を形成することもできる。
【００２４】
図１１は、接続部における着脱フックの他の実施例を示している。
本実施例における開閉レバー５１は、前記同様の構造によるフック基部４９に取り付けられ、開放部４８逆側において操作部５１ａが突設されている。
かかる場合には、操作部５１ａを手指により押し下げることにより、着脱フックが開放され、手指などで持ち易いという利点がある。
【００２５】
図１２は、本発明に係るネックレス糸止め金具６０の第二実施例を示す分解斜視図、図１３は、その一部を破断した斜視図、図１４は、その断面図である。
本実施例における止め金具本体６１は、金属製の略円柱体の外周面に雄ねじが形成された雄ねじ部６３と、一側より軸芯方向に相対向する二つの糸挿入溝６２が軸芯部６４を残して形成され、先端部が円柱体中心方向に湾曲し、互いに連通することで、略Ｕ字状の糸折り返し部６２ｂが形成されたものである。
又、雄ねじ部６３の先端面には、軸心部６４が半球状に突起した糸押圧部６４ａが形成されている。
【００２６】
本実施例における止め金具キャップ７５は、略中心に貫通孔が形成された金属製の球体からなり、雄ねじ部６３全体をカバーする直径で、貫通孔の内周面には雄ねじ部６３が螺合する雌ねじが形成された雌ねじ部７８を備えている。
貫通孔の一端側では、小径の糸通し口７６が形成されると共に、糸通し口７６の内側周縁には、テーパー面からなる糸係止部７７が形成されている。
なお、止め金具本体６１の雄ねじ部６３の逆側には、第一実施例同様の接続部が設けられている。
【００２７】
このような構成からなるネックレス糸止め金具６０に、糸２を接続する場合は、その一端を止め金具キャップ７５の糸通し口７６にまず挿通し、さらに止め金具本体６１における一方の糸挿入溝６２より挿入する。
そのまま糸を送り込み、糸挿入溝６２から連通する略Ｕ字状の糸折り返し部６２ｂにガイドされて自然に折り返された糸２は、他方の糸挿入溝６２より止め金具本体６１より導出されるので、再び止め金具キャップ７５の糸通し口７６へと挿通する。
かかる状態で、糸２に張力を与えつつ、止め金具キャップ７５を止め金具本体６１にねじ込むと、糸２は、糸押圧部６４ａ凸面と糸係止部７７凹面で把持され、押圧、固定される。
【００２８】
このような構成にあっても、糸が折り返され、押圧されているので、ネックレス糸が軸線方向の外力を受けて緩む恐れはない。
更に、止め金具キャップを止め金具本体にねじ込んだ状態において、止め金具本体の糸押圧部の凸面が止め金具キャップの糸支持部の凹面と嵌合するので、糸がより確実に固定される。
【００２９】
又、止め金具キャップの全体形状を球体にすることにより、例えば、白色に彩色された止め金具キャップを真珠ネックレスに使用する場合には、止め金具本体を目立たせない、見栄えの良い真珠ネックレスが提供できるという利点を有する
。
【００３０】
なお、本実施例において、雄ねじ部の先端における糸押圧部の形状は、半球状の突起に限られるわけではなく、先端全体に略円錐台状の糸押圧部を形成することもでき、あるいは雄ねじ部と糸通し口の双方を平坦面に形成しても良い。
【００３１】
図１５は、本発明に係るネックレス糸止め金具の第三実施例を示す分解斜視図、図１６は、本実施例における糸止め部材の斜視図、図１４は、本実施例におけるネックレス糸止め金具の断面図である。
ネックレス糸止め金具８０は、糸止め部材９０とクラスプ接続部材８１及び止め金具キャップ９５とから構成される。
糸止め部材９０は、金属製略円柱体からなり、一側より軸芯方向に糸挿入孔９１が開口され、逆側外周一体には鍔部９３が形成され、外周部の鍔部９３付近から径方向に糸挿入口９１と略Ｔ字状に連通する糸折り返し孔９２が中心部まで開口されている。
【００３２】
クラスプ接続部材８１は、外周面に雄ねじ部８３が設けられた中空のフック筒状基部８２と、逆側には、前記実施例同様の着脱フックが形成されている。
フック筒状基部８２内には、開閉ピン８８が遊嵌されると共にスプリング８９が内蔵され、両端では、それぞれピン挿入口８４及ピン突出口８５が開口され、ピン８５突出口側は小径をなし、開閉ピン８８の底部には係止段部８８ａが形成されることで、開閉ピン８８はフック筒状基部８２内で摺動可能となると共に、その離脱が防止されている。
【００３３】
止め金具キャップ９５は、両端が開口された金属製の略筒状体からなり、糸止め部材９０とクラスプ接続部材８１の雄ねじ部８３をカバーし、内周面にはフック筒状基部８２の雄ねじ部８３と螺合する雌ねじが形成された雌ねじ部９８を備えている。
又、雌ねじ部９８は、一側が途中から小径となることで段差を形成し、内部には糸係止部９７が設けられ、外部には糸通し口９６が設けられる。
【００３４】
このような構成において、糸２を接続する場合は、糸２の一端を止め金具キャップ９５の糸通し口９６より挿入し、さらに糸止め部材９０の糸挿入孔９１に挿入する。
そのまま糸２を送り込み、糸止め部材９０の糸折り返し孔９２から外部に導出し、鍔部９３付近の外周面に一周巻き付けて、再び糸折り返し孔９２より糸止め部材９０内に戻し、糸挿入孔９１から導出して、止め金具キャップ９５の糸通し口９６に逆方向より挿通して、外部に導出する。
ピン挿入口８４よりフック筒状基部８３内に開閉ピン８８及びスプリング８４を挿入、収納した状態で、クラスプ接続部材８１を止め金具キャップ９５にねじ込んでいくと、クラスプ接続部材８１の先端面により、糸止め部材９０が押圧され、止め金具キャップ９５の糸通し口９６内側に挿入されると共に、鍔部９３が糸係止部９７に圧接される。
かかる状態において、糸２は鍔部９３と糸係止部９７に把持され、押圧、固定されると共に、フック筒状基部８３のピン挿入口８４下端開口は、止め金具キャップ９５の鍔部９３の上端面で閉鎖されるので、収納されたスプリング８４が開閉ピン８８を上方向に付勢し、開閉ピン８８がピン突出口８５より突出する。
又、開閉ピン８８は、例えば針、ペン先、ドライバー先端部などを当接して下方向に開放できるので、着脱フックは開閉自在とされる。
【００３５】
本構成においても、糸を軸線方向と直交する方向に折り返して、糸止め部材の雄ねじ部外周に巻き付けているので、大きな摩擦力により糸が固定される。
又、上記の各部材を組合わせることでネックレス糸止め金具を完成できるため、特に微細な装身具用部品であるネックレス糸止め金具の製造において、着脱フックの支軸をかしめる工程やロウ付けなどの困難な作業が必要されず、その製造が容易となる。
【００３６】
以上本発明を図示したいくつかの実施例により説明したが、それを持ってこの発明をそれらの実施例に限定するものでなく、この発明の精神を逸脱せずして種々の変更を加えて多種多様の変更をなし得ることはいうまでもない。
例えば、止め金具キャップは、止め金具本体などの雄ねじ部が螺合する雌ねじ部を形成した孔部を備えておれば、その外形は図示された筒体や球体に限定されるものではなく、多角形状などを採用することもできる。
又、接続部の構造についても、決して図示された着脱フックにのみ限られるわけではなく、例えば、略Ｃ字状に形成された金属製の管内に、スプリングと円弧状のスライド部材を収納して開閉自在とするもの、いわゆる引き輪と呼ばれる止め金具により形成することもある。
なお、上記実施例はいずれもネックレス糸としてステンレス製ワイヤを樹脂で被覆したものを用いたが、これに眼らず、縄、樹脂等からなるネックレス糸を用いてもよいことは勿論である。
【００３７】
【発明の効果】
以上説明したように本発明に係るネックレス糸止め金具によれば、糸と止め金具との間の摩擦力が大きく、したがって、軸線方向の外力が作用しても糸が緩むことが少ない。
又、ネックレス糸に糸止め金具が固定され、更に着脱フックにより糸止め金具とクラスプが接続されているので、ねじの緩みによるクラスプの離脱が防止され、長期の使用に耐えることができる。
更に、ドライバーなどの工具が特に必要とされず、止め金具本体と止め金具キャップなどを手作業により組立てが可能で、販売店店頭でも使用可能となる。
【図面の簡単な説明】
【図１】従来技術に係るネックレス糸止め金具の一実施例を示す一部を破断した斜視図である。
【図２】従来技術に係るネックレス糸止め金具の他の実施例を示す斜視図である。
【図３】従来技術に係るネックレス糸止め金具の他の実施例の使用状態図である。
【図４】本発明に係るネックレス糸止め金具の第一実施例を示す分解斜視図である。
【図５】本発明に係るネックレス糸止め金具の第一実施例を示す断面図である。
【図６】本発明に係るネックレス糸の通し方を示す断面図である。
【図７】本発明に係るネックレス糸の他の通し方を示す断面図である。
【図８】本発明に係るネックレス糸の他の通し方を示す断面図である。
【図９】本発明に係るネックレス糸止め金具の第一実施例の使用状態を示す斜視図である。
【図１０】本発明に係るネックレス糸止め金具の第一実施例の他の使用状態を示す斜視図である。
【図１１】本発明に係るネックレス糸止め金具の接続部の他の実施例を示す断面図である。
【図１２】本発明に係るネックレス糸止め金具の第二実施例を示す分解斜視図である。
【図１３】本発明に係るネックレス糸止め金具の第二実施例の一部を破断した斜視図である。
【図１４】本発明に係るネックレス糸止め金具の第二実施例の断面図である。
【図１５】本発明に係るネックレス糸止め金具の第三実施例を示す分解斜視図である。
【図１６】糸係止部材の斜視図。
【図１７】糸係止部材の断面図。
【符号の説明】
１      クラスプ
２      糸
３      糸掛け用リング
４      真珠
５      止め軸
６      糸通し孔
７      ねじ孔
８      ビス
１１    止め金具
１１ａ  雄ねじ部
１２    糸通し孔
１３    糸折り返し孔
１４    ねじ孔
１４ａ  ビス
１６    クラスプ
１７    オス型部材
１７ａ  雌ねじ部
１８    メス型部材
２０    ネックレス糸止め金具
２１    止め金具本体
２２    テーパー面
２３    雄ねじ部
２４    糸挿入孔
２５    糸折り返し孔
２６    鍔部
２７    接続部
２７ａ  鈎部
２８    開放部
２９    フック基部
３０    支軸
３０ａ  板ばね
３１    開閉レバー
３１ａ  操作部
３５    止め金具キャップ
３５ａ  開口部周縁
３６    雌ねじ部
３７    クラスプ
３７ａ  メス型部材
３７ｂ  オス型部材
３８    リング体
３８ａ  糸穴
３９    糸掛け用リング
４７ａ  鈎部
４８    開口部
４９    フック基部
５０    支軸
５０ａ  板ばね
５１    開閉レバー
５１ａ  操作部
６０    ネックレス糸止め金具
６１    糸止め金具本体
６２    糸挿入溝
６２ｂ  糸折り返し部
６３    雄ねじ部
６４    軸芯部
６４ｂ  糸押圧部
６８    鈎部
６９    開口部
７０    支軸
７１    板ばね
７５    止め金具キャップ
７６    糸通し口
７７    糸係止部
７９    雄ねじ部挿入口
８０    ネックレス糸止め金具
８１    止め金具本体
８２    フック筒状基部
８３    雄ねじ部
８４    ピン挿入口
８５    ピン突出口
８６    鈎部
８７    開口部
８８    開閉ピン
８８ａ  係止段部
８９    スプリング
９０    糸止め部材
９１    糸挿入孔
９２    糸折り返し孔
９３    鍔部
９５    止め金具キャップ
９６    糸通し口
９７    糸係止部
【図１】
0004195527.tif 000002
【図２】
0004195527.tif 000003
【図３】
0004195527.tif 000004
【図４】
0004195527.tif 000005
【図５】
0004195527.tif 000006
【図６】
0004195527.tif 000007
【図７】
0004195527.tif 000008
【図８】
0004195527.tif 000009
【図９】
0004195527.tif 000010
【図１０】
0004195527.tif 000011
【図１１】
0004195527.tif 000012
【図１２】
0004195527.tif 000013
【図１３】
0004195527.tif 000014
【図１４】
0004195527.tif 000015
【図１５】
0004195527.tif 000016
【図１６】
0004195527.tif 000017
【図１７】
0004195527.tif 000018